(57)【要約】【課題】ヘッド旋回部の凍結による作動不良の防止とハウジング内部の温度上昇によるテレビカメラの性能劣化の防止が可能なリモコン雲台を提供する。【解決手段】ハウジング内部にテレビカメラ及びレンズを搭載した建物の屋上等の屋外環境で使用される温度調節可能なリモコン雲台において、前記ハウジング内に所定温度の空気を送り込んで冷却又は加熱を行う温度制御手段を有することを特徴とする温度調節可能なリモコン雲台。【選択図】　図１
2004096571.tif 000002
【特許請求の範囲】
【請求項１】
ハウジング内部にテレビカメラ及びレンズを搭載した建物の屋上等の屋外環境で使用される温度調節可能なリモコン雲台において、前記ハウジング内に所定温度の空気を送り込んで冷却又は加熱を行う温度制御手段を有することを特徴とする温度調節可能なリモコン雲台。
【請求項２】
前記温度制御手段は、前記リモコン雲台に建物の内部の常温空気を供給するための空気供給装置と、前記リモコン雲台まで常温空気を搬送するチューブと、前記リモコン雲台のヘッドの台座部に常温空気が供給される継手と、前記台座部と前記リモコン雲台のヘッドを水平旋回させる水平旋回部とに気体を流通させる流通孔と、前記ハウジングに搭載されたテレビカメラ又はレンズの近傍に設けられた排気孔とからなることを特徴とする請求項１記載の温度調節可能なリモコン雲台。
【請求項３】
前記テレビカメラ近傍を含む複数個所に排気孔を取り付けたことを特徴とする請求項１又は２に記載の温度調節可能なリモコン雲台。
【請求項４】
前記空気供給装置は、温度、湿度調節機構を有することを特徴とする請求項２に記載の温度調節可能なリモコン雲台。
【請求項５】
前記空気供給装置を、前記建物の内部に設置したことを特徴とする請求項２に記載の温度調節可能なリモコン雲台。
【請求項６】
前記空気供給装置を耐環境カバーで覆い前記建物の外部に設置したことを特徴とする請求項２に記載の温度調節可能なリモコン雲台。
【請求項７】
前記チューブを断熱構造にしたことを特徴とする請求項２に記載の温度調節可能なリモコン雲台。
【発明の詳細な説明】
【０００１】
【発明の属する技術分野】
本発明は、建物の屋上等の野外環境で使用される温度調節可能なリモコン雲台に関する。
【０００２】
【従来の技術】
建物の屋上等の屋外環境で使用されるリモコン雲台のヘッド部ハウシング部が外界の気象変化を受けると操作性能や映像性能に悪影響を及ぼす。特に冬季氷点下数十度になるとヘッドの水平旋回部、垂直旋回部に積雪等による凍結が発生し作動不能に陥る。
【０００３】
また、夏季高温地域では機器全体の温度上昇と内部に消費電力の大きいＨＤテレビカメラ等を搭載したことによる発熱で、ハウシング内部の温度が上昇し、搭載されたテレビカメラ自身も高温になり性能劣化が起こる。このような問題を解決するために業界では様々な研究がなされている。
【０００４】
例えば、積雪地域等で使用されるリモコン雲台の場合には、ヘッド部の凍結を防止するために旋回機構部外周に雪除けカバーが設けられている。
【０００５】
また、夏季高湿地域等で使用されるリモコン雲台の場合には、ハウシング内部の温度上昇を抑制するために、ハウシング内部に吸気孔とファン付の排気孔を設けるとともに、ハウシング内部の温度が上昇すると内部温度を検知し、ファンを回してハウシング内部の空気を強制排気し、吸気孔より外気を吸入するように構成されている。
【０００６】
【発明が解決しようとする課題】
しかしながら、上記従来例ではリモコン雲台の旋回機構部外周に凍結防止カバーを設けたとしても、気象条件がさらに悪化すると凍結防止カバーの効果がなくなり最後には凍結してしまい作動不能になってしまうといった欠点がある。
【０００７】
また、ハウシング内部の温度が上昇すると内部温度を検知し、ファンを回してハウシング内部の空気を強制排気し、吸気孔より外気を吸入するように構成したリモコン雲台であっても、夏季外気温度が高くハウシング内部温度と差が少ない時は冷却効果があがらない。
【０００８】
更に、寒冷地に設置されているリモコン雲台の場合、吸排気孔より寒気が侵入し内部機器を冷やし過ぎ、動作に悪影響を及ぼすためヒータ装置を装備するなど機器内部装置が増大するといった欠点がある。
【０００９】
本発明は、このような課題を解消するためになされたもので、建物内部に設置された空気供給装置でハウシング内部に常温空気を供給し、ヘッド全体の温度，ハウシング内部の温度を一定に保ち良好な動作，映像を得ることを目的とする。
【００１０】
【課題を解決するための手段】
上記目的を達成するため、本発明は、ハウジング内部にテレビカメラ及びレンズを搭載した建物の屋上等の屋外環境で使用される温度調節可能なリモコン雲台において、前記ハウジング内に所定温度の空気を送り込んで冷却又は加熱を行う温度制御手段を有することを特徴とする。
【００１１】
温度制御手段を、前記リモコン雲台に建物の内部の常温空気を供給するための空気供給装置と、前記リモコン雲台まで常温空気を搬送するチューブと、前記リモコン雲台のヘッドの台座部に常温空気が供給される継手と、前記台座部と前記リモコン雲台のヘッドを水平旋回させる水平旋回部とに気体を流通させる流通孔と、前記ハウジングに搭載されたテレビカメラ又はレンズの近傍に設けられた排気孔とにより構成してもよい。
【００１２】
また、前記テレビカメラ近傍を含む複数個所に排気孔を取り付けてもよい。
【００１３】
また、空気供給装置に、温度、湿度調節機構を設けてもよい。
【００１４】
また、空気供給装置を、建物の内部に設置するようにしてもよい。
【００１５】
また、温度、湿度調節機構を有する空気供給装置を耐環境カバーで覆い建物の外部に設置してもよい。
【００１６】
さらに、チューブを断熱構造にしてもよい。
【００１７】
上記構成において、雲台ヘッドの台座部に設置された継手から常温空気が供給され、この台座部に常温空気が充満し次に雲台ヘッド水平旋回部の気体の流通する流通孔を通り、雲台ヘッド内部に常温空気が充満する。この一連の工程を連続運転させることによりヘッド全体の温度を一定値近傍推移させることができるので旋回部が凍結しないように動作する。
【００１８】
さらに該常温空気はハウジングと前記雲台ヘッド垂直旋回部の気体の流通する流通孔を通り、ハウシング内部到達する。そしてハウジング内部に常温空気が充満し最後に排気口より排出される。
【００１９】
これら一連の工程を連続運転させることによりハウジング内部の温度を一定値近傍推移させることができるので温度上昇によるテレビカメラの性能劣化を防止することができる。
【００２０】
【発明の実施の形態】
図１は本発明の実施形態におけるリモコン雲台内部の常温空気の流通経路を説明した図である。
【００２１】
同図において１はハウジングを搭載し水平旋回及び垂直旋回を行う旋回部、２は旋回部１が取り付けられるとともに、雲台ヘッドを架台や三脚に固定するための台座部、３はテレビカメラ及びレンズを搭載したハウジング、４は空調された空気を台座部２まで供給するエアーチューブ、５は台座部２に固定されたエアーチューブ接続口、６は旋回部１に設けられた水平旋回装置の空気流通孔　、７は旋回部１に設定された垂直旋回装置の空気流通孔、８は台座２より旋回部１への空気流通経路　、９は旋回部１よりハウジング３への空気流通経路　、１０はハウジング３に設けられた排気口、１１はハウジング３より外気への空気流通経路
図２は本実施形態であるリモコン雲台の全体の特徴を表す図面である。
【００２２】
同図において２１は図１であらわしている雲台を取り付ける雲台設置建物、２２は空調された空気２３を外気から封止するための建物外壁、２３は雲台設置建物２１内の空調された空気、２４は図１であらわしている雲台を取り付ける雲台設置台をあらわしている。
【００２３】
また、２５は雲台設置建物２１内の空調された空気２３を図１であらわしている雲台まで供給する空気供給装置、２６は図１であらわしている雲台をコントロールする信号と雲台から得られた映像を中継する雲台制御中継装置、２７は図１であらわしている雲台と雲台制御中継装置２６を結ぶコントロールケーブルである。
【００２４】
次に、本発明の実施形態である冷却装置によりハウジング内のと空気供給装置２５を作動させると、雲台設置建物２１内の空調された空気２３を吸い込み、加圧してエアーチューブ４に送り出す。そしてエアーチューブ４を通過して台座２に固定されたエアーチューブ接続口５から台座２の内部に到達する。つづいて空気流通孔６及び空気流通孔７を通過して、ハウジング３内部まで到達する。
【００２５】
ハウジング３内部の空気の温度は、しだいに雲台設置建物２１内の空調された空気２３の温度に近づき、搭載されるテレビカメラ及びレンズから発生した熱気が混ざることによりさらに空調された空気２３の温度に近づく。
【００２６】
そしてハウジング３に設けられた排気口１０から外気への空気流通経路１１を通り外部へ放出される。
【００２７】
この一連の工程を連続運転させることによりハウジング内部温度を一定値近傍推移させることができる。
【００２８】
【発明の効果】
以上説明したように、本発明によれば、雲台に建物内部の常温空気を供給するため建物内部に設置された空気供給装置に、雲台まで常温空気を搬送するチューブを接続し、チューブのもう一方を該雲台ヘッドの台座部の常温空気が供給される継手に接続する。
【００２９】
そして常温空気を空気供給装置より供給すると、該台座部と前記雲台ヘッドの水平旋回部に設けてある気体の流通孔を通り、つづいてハウジングと前記雲台ヘッドの垂直旋回部に設けてある気体の流通孔を通り、ハウジングまで供給される。そして前記ハウシングに搭載されているテレビカメラ及びレンズより発生した熱を内部空気と共に排気孔より排出しヘッド全体及びハウジング内部の温度を一定に保てるためヘッド旋回部に設定されている凍結防止カバー、ハウジング内部に設定されている換気ファン、ヒーター、デフロスター廃止でき、これに係わる電気回路も不要になる効果がある。
【００３０】
また、上記構成により、雲台ヘッド内部及びハウジング内部の温度が常温一定に保てるので外部環境変化に弱いテレビカメラでも影響がなく北極圏，南極圏等の寒冷地にも設置が可能になる効果がある。
【００３１】
さらに、上記構成により、雲台ヘッド内部及びハウジング内部の温度が常温一定に保てるので降雪等による旋回部の凍結も防止出来るようになるという効果がある。
【図面の簡単な説明】
【図１】本発明の実施形態である雲台内部の常温空気の流通経路を説明する図。
【図２】本発明の実施形態である雲台の建物外部設置状況及び配管経路を説明する図。
【符号の説明】
１　旋回部
２　台座部
３　ハウジング
４　エアーチューブ
５　エアーチューブ接続口
６　水平旋回装置の空気流通孔
７　垂直旋回装置の空気流通孔
８　台座部２から旋回部１への空気流通経路
９　旋回部１からハウジング部３への空気流通経路
１０　排気口
１１　ハウジング３から外気への空気流通経路
２１　雲台設置建物
２２　建物外壁
２３　空調された空気
２４　雲台設置台
２５　空気供給装置
２６　雲台制御中継装置
２７　コントロールケーブル
【図１】
2004096571.tif 000003
【図２】
2004096571.tif 000004